(57)【要約】【課題】生体内組織膜に形成された傷穴を容易かつ確実に閉じることができて、完全に止血することができるとともに、安全性の高い生体内組織閉鎖具および生体内組織閉鎖装置を提供すること。【解決手段】本発明の生体内組織閉鎖具１１は、生体内組織膜に当接する当接面２１１を有する第一閉鎖部材２と、第一閉鎖部材２の当接面２１１側に連結可能な第二閉鎖部材３とを備える。第一閉鎖部材２に第二閉鎖部材３を連結し、第一閉鎖部材２と第二閉鎖部材３との間で傷穴９００の周辺部の生体内組織膜を挟むことにより傷穴９００を閉鎖する。第一閉鎖部材２の突出部２２は、第二閉鎖部材３の凹部３２に嵌入するときに第二閉鎖部材３の傘部３４を押し広げて拡径させる。【選択図】図４
2006051103.tif 000002
【特許請求の範囲】
【請求項１】
生体内組織膜を貫通する傷穴を閉じる生体内組織閉鎖具であって、
前記生体内組織膜に当接する当接面を有する第一閉鎖部材と、
前記第一閉鎖部材の前記当接面側に連結可能な第二閉鎖部材とを備え、
前記第一閉鎖部材に前記第二閉鎖部材を連結し、前記第一閉鎖部材と前記第二閉鎖部材との間で前記傷穴の周辺部の前記生体内組織膜を挟むことにより前記傷穴を閉鎖し、
前記第二閉鎖部材は、前記第一閉鎖部材に連結するときに拡径するように構成されていることを特徴とする生体内組織閉鎖具。
【請求項２】
前記第一閉鎖部材は、前記当接面が形成された本体部と、該本体部の当接面側に突出する突出部とを有し、
前記第二閉鎖部材は、前記突出部が嵌入可能な凹部を有し、
前記第二閉鎖部材の凹部に前記第一閉鎖部材の突出部が嵌入することにより、前記第一閉鎖部材と前記第二閉鎖部材とが連結する請求項１に記載の生体内組織閉鎖具。
【請求項３】
前記第一閉鎖部材の突出部は、前記第二閉鎖部材の凹部に嵌入するときに前記第二閉鎖部材を押し広げて拡径させるテーパ面を有する請求項２に記載の生体内組織閉鎖具。
【請求項４】
前記第二閉鎖部材は、前記第一閉鎖部材の突出部が前記凹部に嵌入したときに押し広げられて傘状に開く傘部を有する請求項３に記載の生体内組織閉鎖具。
【請求項５】
前記傘部には、前記傘部が開いたときに広がる複数のスリットが形成されている請求項４に記載の生体内組織閉鎖具。
【請求項６】
前記第一閉鎖部材および前記第二閉鎖部材は、生体吸収性材料で構成されている請求項１ないし５のいずれかに記載の生体内組織閉鎖具。
【請求項７】
請求項１ないし６のいずれかに記載の生体内組織閉鎖具を生体内へ配置するための生体内組織閉鎖装置であって、
前記第一閉鎖部材に前記第二閉鎖部材を連結させる操作を行う操作手段を備え、
前記操作手段は、前記第一閉鎖部材を牽引する線状体と、前記第二閉鎖部材を押圧する棒状体とを有し、前記線状体を介して前記第一閉鎖部材を牽引しつつ前記棒状体を介して前記第二閉鎖部材を押圧することにより、前記第一閉鎖部材に前記第二閉鎖部材を連結させることを特徴とする生体内組織閉鎖装置。
【請求項８】
前記棒状体の先端部に着脱自在に装着された筒状体を有し、使用前の状態で前記筒状体内に前記第一閉鎖部材および前記第二閉鎖部材が保持される請求項７に記載の生体内組織閉鎖装置。
【請求項９】
前記傷穴を挿通して留置された管体の内腔に挿入して使用される請求項７または８に記載の生体内組織閉鎖装置。
【請求項１０】
前記管体の内腔に挿入したときの挿入深さを示す指標を有する請求項９に記載の生体内組織閉鎖装置。
【請求項１１】
前記指標には、前記第一閉鎖部材が前記管体の先端開口から出て、かつ前記第二閉鎖部材が前記管体内にとどまるような挿入深さを示す指標が含まれる請求項１０に記載の生体内組織閉鎖装置。
【発明の詳細な説明】
【技術分野】
【０００１】
本発明は、生体内組織閉鎖具および生体内組織閉鎖装置に関するものである。
【背景技術】
【０００２】
従来、血管や他の生体内組織中にカテーテル等の診断或いは治療用装置を挿入してなされる低侵襲手術が広く行なわれている。例えば、心臓の冠状動脈の狭窄の治療においては、その治療処置を行なうために血管内へカテーテル等の器具を挿入することが必要になる。
【０００３】
このようなカテーテルの血管内への挿入は、通常、大腿部を切開して形成した穿刺孔を介して行なわれる。従って、治療処置が終了した後に、穿刺孔の止血を行なう必要があるが、大腿動脈からの出血時の血圧（出血血圧）は高いため、医療従事者が長時間の間、手指で押さえ続ける（用手圧迫）等の過酷な作業が必要となる。
【０００４】
近年、このような止血作業を容易かつ確実に行なうために、傷穴から挿入して血管に形成された穴を縫合する縫合装置が開発されている。例えば、装置の端部に籠状に膨らむことのできる部材を設け、縫合の際にこの部材を血管内へ挿入して籠状に膨らませ、その後に縫合用の針を刺し、籠状に膨らんでいる部材を閉じて針をキャッチし、装置の端部を引き抜くものが提案されている（例えば、特許文献１参照）。
【０００５】
しかしながら、このような構成の縫合装置は、針のキャッチにおける信頼性が低い問題があった。また、縫合用の糸を一旦通した後、その糸の入れ替え作業を行なう必要があるため、縫合に手間と時間がかかるという問題もあった。
【０００６】
一方、生体内組織閉鎖装置として、すでに特許文献２に記載の装置は、硬質のシール部とコラーゲンスポンジとが糸によって連結されている（例えば、特許文献２参照）。
【０００７】
特許文献２に記載の装置の操作方法は、まず、本体部の先端を血管の傷穴から挿入して、シール部を展開する。次いで、本体部をゆっくり引き抜きながら、シール部を傷穴およびその周辺組織に当接させる。さらにシール部で傷穴を引っ掛けながら本体部を引くと、本体部の先端からコラーゲンスポンジが傷穴の上の組織中に展開される。そして、本体部を体外に抜去して、シール部とコラーゲンスポンジとに連結した糸を引いて、予め設置されている結び目を進め、シール部とコラーゲンスポンジとを引き寄せて止血を行う。最後に、糸を切断して終了する。
【０００８】
しかしながら、このような構成の生体内組織閉鎖装置では、傷穴と同程度の径である本体部からコラーゲンスポンジを傷穴へ向って推進されるので、コラーゲンスポンジを血管内へ挿入させてしまうという問題がある。
【０００９】
また、本体部の先端内でコラーゲンスポンジが膨張して本体部から出ない場合があり、また、シール部とコラーゲンスポンジとを糸で締め込むとき、結び目の推進不良が生じることがあり、また、締込み後の糸の切断等の操作が煩雑であるという問題がある。
【００１０】
さらに、糸の締込みを行うので、止血不良である場合に、再操作およびコラーゲン等の抜去が不可能である。
【００１１】
また、糸が取り付けられた閉鎖要素を血管内に配置し、この糸を通してリングを滑らせ、リングが血管の外側で糸をロックすることで血管の傷穴を閉鎖する装置が提案されている（例えば、特許文献３参照）。
【００１２】
特許文献３に開示された装置は、リング（ロッキング部材）を糸に何らかの方法で固定するものであるが、固定の方法が具体的に示されておらず、皮下組織内での固定作業が困難である点と、リングの外径は傷穴に入り得る寸法である必要があるため、小型にならざるを得ず、血管に形成された穴から血管内にリングが落下する可能性があるなどの問題がある。また、閉鎖作業終了後に糸を皮下組織内で切断する操作が必要な点も煩雑である。
【００１３】
【特許文献１】特表平８−５０４６１８号公報
【特許文献２】特許第２５６２００７号公報
【特許文献３】特許第３１３３０５９号公報
【発明の開示】
【発明が解決しようとする課題】
【００１４】
本発明の目的は、生体内組織膜に形成された傷穴を容易かつ確実に閉じることができて、完全に止血することができるとともに、安全性の高い生体内組織閉鎖具および生体内組織閉鎖装置を提供することにある。
【課題を解決するための手段】
【００１５】
このような目的は、下記（１）〜（１１）の本発明により達成される。
（１）  生体内組織膜を貫通する傷穴を閉じる生体内組織閉鎖具であって、
前記生体内組織膜に当接する当接面を有する第一閉鎖部材と、
前記第一閉鎖部材の前記当接面側に連結可能な第二閉鎖部材とを備え、
前記第一閉鎖部材に前記第二閉鎖部材を連結し、前記第一閉鎖部材と前記第二閉鎖部材との間で前記傷穴の周辺部の前記生体内組織膜を挟むことにより前記傷穴を閉鎖し、
前記第二閉鎖部材は、前記第一閉鎖部材に連結するときに拡径するように構成されていることを特徴とする生体内組織閉鎖具。
【００１６】
（２）  前記第一閉鎖部材は、前記当接面が形成された本体部と、該本体部の当接面側に突出する突出部とを有し、
前記第二閉鎖部材は、前記突出部が嵌入可能な凹部を有し、
前記第二閉鎖部材の凹部に前記第一閉鎖部材の突出部が嵌入することにより、前記第一閉鎖部材と前記第二閉鎖部材とが連結する上記（１）に記載の生体内組織閉鎖具。
【００１７】
（３）  前記第一閉鎖部材の突出部は、前記第二閉鎖部材の凹部に嵌入するときに前記第二閉鎖部材を押し広げて拡径させるテーパ面を有する上記（２）に記載の生体内組織閉鎖具。
【００１８】
（４）  前記第二閉鎖部材は、前記第一閉鎖部材の突出部が前記凹部に嵌入したときに押し広げられて傘状に開く傘部を有する上記（３）に記載の生体内組織閉鎖具。
【００１９】
（５）  前記傘部には、前記傘部が開いたときに広がる複数のスリットが形成されている上記（４）に記載の生体内組織閉鎖具。
【００２０】
（６）  前記第一閉鎖部材および前記第二閉鎖部材は、生体吸収性材料で構成されている上記（１）ないし（５）のいずれかに記載の生体内組織閉鎖具。
【００２１】
（７）  上記（１）ないし（６）のいずれかに記載の生体内組織閉鎖具を生体内へ配置するための生体内組織閉鎖装置であって、
前記第一閉鎖部材に前記第二閉鎖部材を連結させる操作を行う操作手段を備え、
前記操作手段は、前記第一閉鎖部材を牽引する線状体と、前記第二閉鎖部材を押圧する棒状体とを有し、前記線状体を介して前記第一閉鎖部材を牽引しつつ前記棒状体を介して前記第二閉鎖部材を押圧することにより、前記第一閉鎖部材に前記第二閉鎖部材を連結させることを特徴とする生体内組織閉鎖装置。
【００２２】
（８）  前記棒状体の先端部に着脱自在に装着された筒状体を有し、使用前の状態で前記筒状体内に前記第一閉鎖部材および前記第二閉鎖部材が保持される上記（７）に記載の生体内組織閉鎖装置。
【００２３】
（９）  前記傷穴を挿通して留置された管体の内腔に挿入して使用される上記（７）または（８）に記載の生体内組織閉鎖装置。
【００２４】
（１０）  前記管体の内腔に挿入したときの挿入深さを示す指標を有する上記（９）に記載の生体内組織閉鎖装置。
【００２５】
（１１）  前記指標には、前記第一閉鎖部材が前記管体の先端開口から出て、かつ前記第二閉鎖部材が前記管体内にとどまるような挿入深さを示す指標が含まれる上記（１０）に記載の生体内組織閉鎖装置。
【発明の効果】
【００２６】
本発明によれば、安全性が高く、生体内組織膜に形成された傷穴に対し、止血作業を容易にかつ確実に行なうことができる。すなわち、傷穴を容易にかつ確実に閉じる（閉鎖する）ことができ、完全に止血することができる。
【発明を実施するための最良の形態】
【００２７】
以下、本発明の生体内組織閉鎖具および生体内組織閉鎖装置を添付図面に示す好適実施形態に基づいて詳細に説明する。
【００２８】
図１は、本発明の生体内組織閉鎖具および生体内組織閉鎖装置の実施形態を示す分解斜視図、図２は、図１に示す生体内組織閉鎖具および生体内組織閉鎖装置の縦断面図、図３〜図６は、それぞれ、図１に示す生体内組織閉鎖具および生体内組織閉鎖装置の作用（動作）を説明するための断面図である。
【００２９】
なお、説明の都合上、図１〜図６において、図中の左下側を「先端」、右上側を「基端」として説明する。
【００３０】
これらの図に示す生体内組織閉鎖装置１は、例えば、血管等の生体管腔、生体内部器官、生体内部組織等の生体内組織膜に形成され、経皮的に貫通した傷穴（生体内組織膜を貫通する傷穴）９００を閉じる（閉鎖する）装置である。
【００３１】
図１に示すように、生体内組織閉鎖装置１は、生体内組織膜に当接する当接面２１１を有する第一閉鎖部材２と該第一閉鎖部材２の当接面２１１側に連結可能な第二閉鎖部材３とからなる生体内組織閉鎖具１１と、第一閉鎖部材２に第二閉鎖部材３を連結させる操作を行うための操作手段４と、円筒状のインサーター（筒状体）５とを備えている。なお、図１中の破線の円の内側は、生体内組織閉鎖具１１の第一閉鎖部材２と第二閉鎖部材３とが連結した状態を示す図である。
【００３２】
この生体内組織閉鎖装置１では、第一閉鎖部材２に第二閉鎖部材３を連結し、第一閉鎖部材２と第二閉鎖部材３との間で傷穴９００の周辺部の生体内組織膜を挟むことにより、傷穴９００を閉鎖するものである（図６参照）。すなわち、この生体内組織閉鎖装置１では、最終的に傷穴９００を閉鎖した状態で留置される部材は、第一閉鎖部材２および第二閉鎖部材３、すなわち生体内組織閉鎖具１１である。
【００３３】
また、生体内組織閉鎖装置１は、傷穴９００を挿通して留置されたシース（管体）９の内腔に、第一閉鎖部材２、第二閉鎖部材３および操作手段４を挿入して使用される。
【００３４】
シース９は、略円筒状の管体であり、その基端部にハブ９１を有している。このシース９としては、例えば、カテーテルを用いた治療（ＰＣＩ）や診断（ＣＡＧ）の処置後に留置されているシース（イントロデューサシース）を用いてもよく、また、この生体内組織閉鎖装置１専用のものであってもよい。
【００３５】
第一閉鎖部材２は、生体内組織膜の内面に当接するほぼ平らな当接面２１１が形成された本体部２１と、この本体部２１の当接面２１１側に突出する突出部２２とで構成されている。
【００３６】
本体部２１は、ほぼ舟形あるいは足形をなしている。突出部２２は、山形ないしは半ラグビーボール形のヘッド部２２１と、細くくびれた首部２２２とで構成されており、全体としてほぼキノコ形をなしている。ヘッド部２２１と本体部２１とが首部２２２により連結されている。また、ヘッド部２２１には、操作手段４の糸４２を挿通する糸挿通孔２３が形成されている。
【００３７】
第二閉鎖部材３は、ほぼ砲弾形あるいはドングリ形の全体形状をなしている。すなわち、第二閉鎖部材３は、ほぼ円柱状の部材であり、その基端部では外径が基端方向に向かって漸減している。
【００３８】
第二閉鎖部材３の中心部には、第二閉鎖部材３の先端面３１に開口する凹部（中空部）３２が形成されている。また、先端面３１から第二閉鎖部材３の軸方向の途中の位置まで、スリット（切れ込み）３３が形成されている。スリット３３は、周方向に沿って好ましくはほぼ等間隔で複数個所（図示の構成では９０°間隔で４箇所）に形成されている。これら複数のスリット３３が形成された第二閉鎖部材３の先端側の部分は、傘部（傘骨部）３４を構成する。
【００３９】
図１中の破線の円内に示すように、第二閉鎖部材３の凹部３２に第一閉鎖部材２の突出部２２が嵌入（嵌合）することにより、第一閉鎖部材２と第二閉鎖部材３とが連結（固定）される。このとき、傘部３４は、突出部２２によって内側から押し広げられ、スリット３３が広がって傘状（傘骨状）に開き、径が拡大する。
【００４０】
したがって、第二閉鎖部材３は、シース９の内腔内に配置されて目的部位に到達するまでは小さな寸法になっており、目的部位においてシース９の先端から押し出され、第一閉鎖部材２と連結することによって径が拡大し、皮下組織を圧迫して固定される。そのため、配置後に位置ズレを起こしたり、血管内に落下したりすることはない。
【００４１】
第一閉鎖部材２および第二閉鎖部材３は、それぞれ、生体吸収性材料で構成されるのが好ましい。これにより、第一閉鎖部材２および第二閉鎖部材３が所定期間後に生体に吸収され、最終的に生体内に残らないので、人体への影響をなくすことができる。
【００４２】
用いられる生体吸収性材料としては、例えば、ポリ乳酸、ポリグリコール酸、ポリジオキサノン等の単体、あるいはこれらの複合体が挙げられる。
【００４３】
操作手段４は、横断面形状がほぼ円形の棒状体であるプッシャー４１と、糸４２と、糸留めキャップ（糸保持部材）４３とで構成されている。
【００４４】
プッシャー４１の中心部には、糸４２を挿通する糸挿通孔（中空部）４１１が全長に渡り形成されている。また、プッシャー４１の基端付近の外周面には、シース９の内腔に挿入したときの挿入深さを示す指標（目印）４１２が設けられている。
【００４５】
糸留めキャップ４３は、先細りテーパー形状の先端部４３１を有している。この先端部４３１をプッシャー４１の糸挿通孔４１１の基端開口に挿入し嵌合させることにより、糸４２を挟んで留めることができる。
【００４６】
このような生体内組織閉鎖装置１は、使用する際には図２のように組み立てた状態とされる。以下、この組立状態について説明する。
【００４７】
図２に示すように、組立状態では、プッシャー４１の先端側にインサーター５が接続される。プッシャー４１の外径とインサーター５の内径とは、ほぼ同じになっているので、プッシャー４１の先端部をインサーター５の基端開口内に嵌合させることにより、プッシャー４１の先端側にインサーター５を着脱自在に固定することができる。
【００４８】
このインサーター５内に、第一閉鎖部材２および第二閉鎖部材３が先端側からこの順に並んで保持される。このとき、第一閉鎖部材２は、本体部２１の長手方向をインサーター５の軸方向に向けた姿勢とされる。また、第二閉鎖部材３の外径は、インサーター５の内径とほぼ同じかそれより小さくなっており、インサーター５内にほぼ同心的に保持される。
【００４９】
第一閉鎖部材２は、インサーター５内に完全に収納されていてもよいが、図示のように第一閉鎖部材２の一部がインサーター５の先端開口から露出（突出）していてもよい。これにより、シース９内に挿入するとき、より容易に挿入することができる。
【００５０】
糸４２は、プッシャー４１の糸挿通孔４１１と、第二閉鎖部材３の糸挿通孔３５および凹部３２と、第一閉鎖部材２の糸挿通孔２３とに挿通されている。なお、糸挿通孔３５は、第二閉鎖部材３の頂部（基端部）から凹部３２へ貫通するように形成されている。
【００５１】
糸４２の両端部は、プッシャー４１の糸挿通孔４１１の基端開口から外へ出ている。すなわち、糸４２は、第一閉鎖部材２の糸挿通孔２３を通って折り返すように配設されている。糸４２の両端部付近は、糸挿通孔４１１の基端開口に挿入・嵌合された糸留めキャップ４３によって、固定されている。
【００５２】
このような組立状態では、糸４２の張力により、第一閉鎖部材２および第二閉鎖部材３は、インサーター５内から離脱するのが防止され、インサーター５内に保持される。
【００５３】
次に、生体内組織閉鎖装置１を用いて行なう止血作業の手順（生体内組織閉鎖装置１の作用）について説明する。
【００５４】
カテーテルを用いた治療（ＰＣＩ）や診断（ＣＡＧ）の処置後には、穿刺部にシース９が留置されている。このシース９の先端部は、傷穴９００を通って血管内に挿入されている。このシース９の内径は、プッシャー４１の外径とほぼ同じかまたはやや大きくされている。
【００５５】
図３に示すように、このシース９の基端側に、図２に示す組立状態の生体内組織閉鎖装置１をあてがった状態とし、プッシャー４１を先端方向へ前進させる。すると、第一閉鎖部材２、第二閉鎖部材３およびプッシャー４１は、シース９内に挿入されていく。このとき、インサーター５は、シース９の基端に当接することにより、シース９の基端側にとどまり、第一閉鎖部材２、第二閉鎖部材３およびプッシャー４１をシース９内へ案内する。本実施形態では、インサーター５を設けたことにより、第一閉鎖部材２および第二閉鎖部材３をシース９内に極めて円滑かつ容易に挿入することができる。
【００５６】
さらにプッシャー４１を前進させると、第一閉鎖部材２および第二閉鎖部材３は、プッシャー４１に押圧されてシース９内を前進する。そして、図４に示すように、第一閉鎖部材２がシース９の先端開口から出た位置で、プッシャー４１を停止させる。これにより、第一閉鎖部材２は、血管内で自由になるので、本体部２１の長手方向が血管の長手方向に概ね一致するような姿勢に展開する。
【００５７】
本実施形態では、プッシャー４１に付された指標４１２がインサーター５の基端に一致したときに、第一閉鎖部材２がシース９の先端開口から出て、かつ第二閉鎖部材３がシース９内にとどまるような状態となる。よって、指標４１２を目印としてプッシャー４１の挿入深さを調整することにより、容易に図４に示す状態を得ることができる。なお、プッシャー４１には、図４に示す挿入深さ以外の挿入深さを示す指標がさらに設けられていてもよい。
【００５８】
図４に示す状態から、糸留めキャップ４３を取り外し、糸４２を基端方向へ引っ張って張力を加えながら、シース９を含む全体を手応えが感じられるまで基端方向へ引っ張る。第一閉鎖部材２の当接面２１１が傷穴９００の周囲の血管壁内面に当接すると、手応えが感じられるので、ここでシース９を基端方向へ引っ張るのを止めることにより、第一閉鎖部材２を傷穴９００の位置に容易に位置決めすることができる。
【００５９】
上記のようにして第一閉鎖部材２を傷穴９００に位置決めしたら、糸４２に張力を加えたまま、インサーター５およびシース９を穿刺部位から抜去する。これにより、図５に示す状態となる。
【００６０】
図５に示す状態から、糸４２に基端方向への張力を加えつつ、プッシャー４１を先端方向へ押圧する。すると、第一閉鎖部材２の突出部２２が糸４２に牽引されて第二閉鎖部材３の凹部３２内に嵌入（嵌合）して、図６に示すように、第一閉鎖部材２と第二閉鎖部材３とが連結、固定される。
【００６１】
これにより、第一閉鎖部材２の当接面２１１と第二閉鎖部材３の先端面３１との間に傷穴９００の周辺の血管壁が挟み込まれ、傷穴９００が閉鎖される。その後、プッシャー４１および糸４２をそれぞれ抜去し、止血作業が完了する。
【００６２】
突出部２２のヘッド部２２１の外周面は、第二閉鎖部材３の傘部３４を押し広げて拡径させるテーパ面２４として機能する。すなわち、ヘッド部２２１が凹部３２に嵌入するとき、テーパ面２４が傘部３４の内面に摺動し、傘部３４を内側から押し広げて拡径させる。傘部３４が拡径して先端面３１が広がることにより、傷穴９００の周囲の血管壁をより広い面積で挟むことができるので、より確実な止血が可能となる。
【００６３】
傘部３４には、ヘッド部２２１に係合する爪３４１が内周側に向かって突出形成されている。凹部３２内に突出部２２（ヘッド部２２１）が一旦嵌入すると、爪３４１がヘッド部２２１に係合することにより、第一閉鎖部材２と第二閉鎖部材３とは確実に連結され、再度分離することはない。よって、第一閉鎖部材２と第二閉鎖部材３が傷穴９００から離脱するのを確実に防止することができ、安全性が高い。
【００６４】
以上説明したように、この生体内組織閉鎖装置１によれば、安全性が高く、血管壁等の生体内組織膜に形成された傷穴９００に対し、止血作業を容易にかつ確実に行なうことができる。すなわち、傷穴９００を容易にかつ確実に閉じる（閉鎖する）ことができ、完全に止血することができる。また、皮下組織内などの深部に配置する際には、径が小さく、挿入し易い。
【００６５】
以上、本発明の生体内組織閉鎖具および生体内組織閉鎖装置を図示の実施形態に基づいて説明したが、本発明はこれに限定されるものではなく、各部の構成は、同様の機能を有する任意の構成のものに置換することができる。また、本発明に、他の任意の構成物が付加されていてもよい。
【図面の簡単な説明】
【００６６】
【図１】本発明の生体内組織閉鎖具および生体内組織閉鎖装置の実施形態を示す分解斜視図である。
【図２】図１に示す生体内組織閉鎖具および生体内組織閉鎖装置の縦断面図である。
【図３】図１に示す生体内組織閉鎖具および生体内組織閉鎖装置の作用（動作）を説明するための断面図である。
【図４】図１に示す生体内組織閉鎖具および生体内組織閉鎖装置の作用（動作）を説明するための断面図である。
【図５】図１に示す生体内組織閉鎖具および生体内組織閉鎖装置の作用（動作）を説明するための断面図である。
【図６】図１に示す生体内組織閉鎖具および生体内組織閉鎖装置の作用（動作）を説明するための断面図である。
【符号の説明】
【００６７】
１            生体内組織閉鎖装置
１１          生体内組織閉鎖具
２            第一閉鎖部材
２１          本体部
２１１        当接面
２２          突出部
２２１        ヘッド部
２２２        首部
２３          糸挿通孔
２４          テーパ面
３            第二閉鎖部材
３１          先端面
３２          凹部
３３          スリット
３４          傘部
３４１        爪
３５          糸挿通孔
４            操作手段
４１          プッシャー
４１１        糸挿通孔
４１２        指標
４２          糸
４３          糸留めキャップ
４３１        先端部
５            インサーター
９            シース
９１          ハブ
９００        傷穴
【図１】
2006051103.tif 000003
【図２】
2006051103.tif 000004
【図３】
2006051103.tif 000005
【図４】
2006051103.tif 000006
【図５】
2006051103.tif 000007
【図６】
2006051103.tif 000008